【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるユーザ機器（ＵＥ）通信を管理する方法であって、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成すること、ここにおいて、前記データ構造は、
シンボル内で、周波数帯域幅がそれに分割される複数のリソース要素ブロック、ここにおいて、前記シンボルは、ダウンリンクサブフレーム中の複数のシンボルのうちの１つであり、送信時間間隔（ＴＴＩ）を定義し、前記複数のリソース要素ブロックのうちのリソース要素ブロックは、制御領域およびデータ領域の両方を定義し、前記リソース要素ブロックは、前記１つまたは複数のリソース要素ブロックの別のリソース要素ブロックと同じ数のリソース要素を含む、と、
前記ダウンリンクチャネルによってサービスされる前記１つまたは複数のＵＥのうちの１つのＵＥのための、前記制御領域内にある、ダウンリンクリソース許可と
を備える、と、
前記データ構造の前記ダウンリンクリソース許可に従って、前記ＵＥに前記ユーザデータを送信することと
を備える、方法。
【請求項２】
前記１つまたは複数のＵＥに前記データ構造を送信することをさらに備える、
請求項１に記載の方法。
【請求項３】
前記ユーザデータの再送信のためのＨＡＲＱプロセスを維持することをさらに備え、前記ＨＡＲＱプロセスは、１つのサブフレームより少ない、
請求項１に記載の方法。
【請求項４】
８つのシンボル内で前記ユーザデータを再送信すべきなのかを決定することをさらに備える、
請求項１に記載の方法。
【請求項５】
送信のための前記ユーザデータを取得することは、データフローを介して第２のネットワークエンティティから、またはネットワークエンティティに関連する送信データキューから、前記ユーザデータを取得することを備える、
請求項１に記載の方法。
【請求項６】
前記ダウンリンクリソース許可は、前記１つまたは複数のリソース要素ブロックのリソースブロック内の、前記データ領域がある、位置のインジケーションを含む、
請求項１に記載の方法。
【請求項７】
前記データ構造は、前記ＵＥのための、前記制御領域中にある、アップリンクリソース許可をさらに備える、
請求項１に記載の方法。
【請求項８】
ダウンリンクリソース許可は、前記ＵＥに前記少なくとも１つのリソース要素ブロックの前記制御領域外の任意のリソース要素を割り振る、
請求項１に記載の方法。
【請求項９】
前記ダウンリンクリソース許可は、少なくとも１つのさらなるリソース要素ブロックのリソース要素を前記ＵＥに割り振る、
請求項１に記載の方法。
【請求項１０】
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割り振りを含む、
請求項９に記載の方法。
【請求項１１】
請求項１乃至１０のいずれか１項に従う方法を実行するための命令を備えるコンピュータプログラム。
【請求項１２】
ワイヤレス通信システムにおけるユーザ機器（ＵＥ）通信を管理するための装置であって、
ネットワークエンティティにおいて、ダウンリンクチャネル上での１つまたは複数のＵＥへの送信のためのユーザデータを取得するための手段と、
前記１つまたは複数のＵＥおよび前記ユーザデータのうちの少なくとも１つに関連する１つまたは複数の配信制約を決定するための手段と、
前記１つまたは複数の配信制約と、送信のための前記ユーザデータとに基づいて、前記ユーザデータの送信のためにダウンリンクチャネルリソースを割り振るためのデータ構造を生成するための手段、ここにおいて、前記データ構造は、
シンボル内で、周波数帯域幅がそれに分割される複数のリソース要素ブロック、ここにおいて、前記シンボルは、ダウンリンクサブフレーム中の複数のシンボルのうちの１つであり、送信時間間隔（ＴＴＩ）を定義し、前記複数のリソース要素ブロックのうちのリソース要素ブロックは、制御領域およびデータ領域の両方を定義し、前記リソース要素ブロックは、前記１つまたは複数のリソース要素ブロックの別のリソース要素ブロックと同じ数のリソース要素を含む、と、
前記ダウンリンクチャネルによってサービスされる前記１つまたは複数のＵＥのうちの１つのＵＥのための、前記制御領域内にある、ダウンリンクリソース許可と
を備える、と、
前記データ構造の前記ダウンリンクリソース許可に従って、前記ＵＥに前記ユーザデータを送信するための手段と
を備える、装置。
【請求項１３】
前記１つまたは複数のＵＥに前記データ構造を送信するための手段をさらに備える、
請求項１２に記載の装置。
【請求項１４】
前記取得するための手段は、データフローを介して第２のネットワークエンティティから、または前記ネットワークエンティティに関連する送信データキューから、前記ユーザデータを取得するための手段をさらに備える、
請求項１２に記載の装置。
【請求項１５】
前記ダウンリンクリソース許可は、前記１つまたは複数のリソース要素ブロックのリソースブロック内の、前記データ領域がある、位置のインジケーションを含む、
請求項１２に記載の装置。
【手続補正２】
【補正対象書類名】明細書
【補正対象項目名】０１１６
【補正方法】変更
【補正の内容】
【０１１６】
[00131]以上の説明は、当業者が本明細書で説明した様々な態様を実施できるようにするために与えられた。これらの態様に対する様々な修正は当業者には容易に明らかになり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的等価物は、参照により本明細書に明確に組み込まれ、特許請求の範囲に包含されるものである。その上、本明細書で開示するいかなることも、そのような開示が特許請求の範囲に明示的に具陳されているかどうかにかかわらず、公に供するものではない。いかなるクレーム要素も、その要素が「ための手段」という句を使用して明確に具陳されていない限り、ミーンズプラスファンクションとして解釈されるべきではない。
以下に、本願出願の当初の特許請求の範囲に記載された発明を付記する。
［Ｃ１］
ワイヤレス通信システムにおけるユーザ機器（ＵＥ）通信を管理する方法であって、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、方法。
［Ｃ２］
前記１つまたは複数のＵＥに前記データ構造を送信することをさらに備える、
［Ｃ１］に記載の方法。
［Ｃ３］
前記データ構造のダウンリンクリソース許可に従って、前記ＵＥに前記ユーザデータを送信することをさらに備える、
［Ｃ１］に記載の方法。
［Ｃ４］
前記ユーザデータの再送信のためのＨＡＲＱプロセスを維持することをさらに備え、前記ＨＡＲＱプロセスは、１つのサブフレームより少ない、
［Ｃ１］に記載の方法。
［Ｃ５］
８つのシンボル内で前記ユーザデータを再送信すべきなのかを決定することをさらに備える、
［Ｃ１］に記載の方法。
［Ｃ６］
送信のための前記ユーザデータを取得することは、データフローを介して第２のネットワークエンティティから、またはネットワークエンティティに関連する送信データキューから、前記ユーザデータを取得することを備える、
［Ｃ１］に記載の方法。
［Ｃ７］
前記ダウンリンクリソース許可は、前記１つまたは複数のリソース要素ブロックのリソースブロック内の、前記データ領域がある、位置のインジケーションを含む、
［Ｃ１］に記載の方法。
［Ｃ８］
前記データ構造は、前記ＵＥのための、前記制御領域中にある、アップリンクリソース許可をさらに備える、
［Ｃ１］に記載の方法。
［Ｃ９］
前記制御領域は、リソース要素の数を備え、前記リソース要素の数は、前記ＵＥに関連するアグリゲーションレベルに基づく、
［Ｃ１］に記載の方法。
［Ｃ１０］
ダウンリンクリソース許可は、前記ＵＥに前記少なくとも１つのリソース要素ブロックの前記制御領域外の任意のリソース要素を割り振る、
［Ｃ１］に記載の方法。
［Ｃ１１］
前記ダウンリンクリソース許可は、少なくとも１つのさらなるリソース要素ブロックのリソース要素を前記ＵＥに割り振る、
［Ｃ１］に記載の方法。
［Ｃ１２］
前記制御領域は、前記１つまたは複数のリソース要素ブロック内のリソース要素の固定サブセット内に位置する、
［Ｃ１］に記載の方法。
［Ｃ１３］
前記データ構造は、前記ダウンリンクサブフレームの少なくとも１つのさらなるシンボル内にレガシー制御領域をさらに備え、前記レガシー制御領域は、レガシーＬＴＥ制御およびデータチャネルによる少なくとも１つのリソース要素割り振りを含む、
［Ｃ９］に記載の方法。
［Ｃ１４］
ワイヤレス通信システムにおけるユーザ機器（ＵＥ）通信を管理するための装置であって、
プロセッサと、
前記プロセッサと電子通信するメモリと、
前記メモリ中に記憶された命令と
を備え、前記命令は、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を行うようにプロセッサによって実行可能であり、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、装置。
［Ｃ１５］
前記命令は、前記１つまたは複数のＵＥに前記データ構造を送信することを前記プロセッサによって実行可能である、
［Ｃ１４］に記載の装置。
［Ｃ１６］
前記命令は、前記データ構造のダウンリンクリソース許可に従って、前記ＵＥに前記ユーザデータを送信することを前記プロセッサによって実行可能である、
［Ｃ１４］に記載の装置。
［Ｃ１７］
送信のための前記ユーザデータを取得することを前記プロセッサによって実行可能な前記命令は、データフローを介して第２のネットワークエンティティから、または前記ネットワークエンティティに関連する送信データキューから、前記ユーザデータを取得することを前記プロセッサによって実行可能な前記命令を備える、
［Ｃ１４記載の装置。
［Ｃ１８］
前記ダウンリンクリソース許可は、前記１つまたは複数のリソース要素ブロックのリソースブロック内の、前記データ領域がある、位置のインジケーションを含む、
［Ｃ１４］に記載の装置。
［Ｃ１９］
前記データ構造は、前記ＵＥのための、前記制御領域中にある、アップリンクリソース許可をさらに備える、
［Ｃ１４］に記載の装置。
［Ｃ２０］
前記制御領域は、リソース要素の数を備え、前記リソース要素の数は、前記ＵＥに関連するアグリゲーションレベルに基づく、
［Ｃ１４］に記載の装置。
［Ｃ２１］
ワイヤレス通信システムにおけるユーザ機器（ＵＥ）通信を管理するための装置であって、
ネットワークエンティティにおいて、ダウンリンクチャネル上での１つまたは複数のＵＥへの送信のためのユーザデータを取得するための手段と、
前記１つまたは複数のＵＥおよび前記ユーザデータのうちの少なくとも１つに関連する１つまたは複数の配信制約を決定するための手段と、
前記１つまたは複数の配信制約と、送信のための前記ユーザデータとに基づいて、前記ユーザデータの送信のためにダウンリンクチャネルリソースを割り振るためのデータ構造を生成するための手段と
を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、装置。
［Ｃ２２］
前記１つまたは複数のＵＥに前記データ構造を送信するための手段をさらに備える、
［Ｃ２１］に記載の装置。
［Ｃ２３］
前記データ構造の前記ダウンリンクリソース許可に従って、前記ＵＥに前記ユーザデータを送信するための手段をさらに備える、
［Ｃ２１］に記載の装置。
［Ｃ２４］
前記取得するための手段は、データフローを介して第２のネットワークエンティティから、または前記ネットワークエンティティに関連する送信データキューから、前記ユーザデータを取得するための手段をさらに備える、
［Ｃ２１］に記載の装置。
［Ｃ２５］
前記ダウンリンクリソース許可は、前記１つまたは複数のリソース要素ブロックのリソースブロック内の、前記データ領域がある、位置のインジケーションを含む、
［Ｃ２１］に記載の装置。
［Ｃ２６］
ワイヤレス通信のためのコンピュータ実行可能コードを記憶する非一時的コンピュータ可読媒体であって、前記コンピュータ実行可能コードは、
ネットワークエンティティにおいて、ダウンリンクチャネル上での１つまたは複数のＵＥへの送信のためのユーザデータを取得することと、
前記１つまたは複数のＵＥおよび前記ユーザデータのうちの少なくとも１つに関連する１つまたは複数の配信制約を決定することと、
前記１つまたは複数の配信制約と、送信のための前記ユーザデータとに基づいて、前記ユーザデータの送信のためにダウンリンクチャネルリソースを割り振るためのデータ構造を生成することと
を実行可能な命令を備え、前記データ構造は、
ダウンリンクサブフレーム中の送信時間間隔（ＴＴＩ）を定義するシンボル内で、周波数帯域幅がそれに分割される１つまたは複数のリソース要素ブロックと、
前記１つまたは複数のリソース要素ブロックのうちの少なくとも１つのリソース要素ブロック内の制御領域およびデータ領域と、
前記ダウンリンクチャネルによってサービスされる前記１つまたは複数のＵＥのうちの１つのＵＥのための、前記制御領域内にある、ダウンリンクリソース許可と
を備える、非一時的コンピュータ可読媒体。
［Ｃ２７］
前記コードは、前記１つまたは複数のＵＥに前記データ構造を送信することを実行可能な命令をさらに備える、
［Ｃ２６］に記載のコンピュータ可読媒体。
［Ｃ２８］
前記コードは、前記データ構造の前記ダウンリンクリソース許可に従って、前記ＵＥに前記ユーザデータを送信することを実行可能な命令をさらに備える、
［Ｃ２６］に記載のコンピュータ可読媒体。
［Ｃ２９］
送信のための前記ユーザデータを取得することを実行可能な前記命令は、データフローを介して第２のネットワークエンティティから、または前記ネットワークエンティティに関連する送信データキューから、前記ユーザデータを取得することを実行可能な命令を備える、
［Ｃ２６］に記載のコンピュータ可読媒体。
［Ｃ３０］
前記ダウンリンクリソース許可は、前記１つまたは複数のリソース要素ブロックのリソースブロック内の、前記データ領域がある、位置のインジケーションを含む、
［Ｃ２６］に記載のコンピュータ可読媒体。